(57)【特許請求の範囲】
【請求項１】
長方形状のシートの短辺と平行に第１折り部と第２折り部を設け、前記第１折り部と前記第２折り部との間隔は、前記第２折り部からこの折り部側の短辺までの間隔とほぼ等しく設定し、前記第１折り部からこの折り部側の短辺までの間隔は、前記第１折り部と前記第２折り部との間隔よりも狭く設定し、前記シートの一面側には、前記第２折り部側の短辺に沿って弱接着部を設けるとともに、一対の長辺に沿ってそれぞれ強接着部を設け、前記シートの他面側には、前記第１折り部に沿った前記第２折り部とは反対側の部分に弱接着部を設けるとともに、前記第１折り部からこの折り部側の短辺に向けて一対の長辺に沿ってそれぞれ強接着部を設け、この他面側の各強接着部の内側に沿って一対の開封用ミシン目を設け、これら開封用ミシン目とほぼ同一長の一対の開封用ミシン目を、前記第２折り部側の短辺端から前記第２折り部に向けて前記一面側の各強接着部の内側に沿って設けたことを特徴とする折り畳み封書用シート。
【請求項２】
長方形状のシートの短辺と平行に第１折り部と第２折り部を設け、前記第１折り部と前記第２折り部との間隔は、前記第１折り部からこの折り部側の短辺までの間隔とほぼ等しく設定し、前記第２折り部からこの折り部側の短辺までの間隔は、前記第１折り部と前記第２折り部との間隔よりも狭く設定し、前記シートの一面側には、一対の長辺に沿ってそれぞれ強接着部を設けるとともに、前記第２折り部側の短辺に沿って弱接着部を設け、前記シートの他面側には、前記第１折り部側の短辺からこの折り部に向けて、前記第２折り部とこの折り部側短辺までの距離にほぼ等しい範囲に及んで一対の長辺に沿ってそれぞれ強接着部を設けるとともに、これら強接着部の前記第１折り部側端に前記第１折り部と平行に伸びるよう弱接着部を設け、この他面側の各強接着部の内側に沿った部分に一対の開封用ミシン目を設け、前記第２折り部側の短辺端から前記第２折り部に向けて前記一面側の各強接着部の内側に沿って一対の開封用ミシン目を設けたことを特徴とする折り畳み封書用シート。
【請求項３】
前記請求項１又は前記請求項２に記載の折り畳み封書用シートを、第２折り部側の短辺に沿って弱接着部を設けた面を内側にして、前記第１折り部でこの折り部から短辺側を前記内面側に折り重ねて各長辺に沿った強接着部同士を対接する一方、この折り重ねの前後に内面側の前記第１折り部と前記第２折り部との間に書簡などの収容物を載置し、前記第２折り部でこの折り部から短辺側を前記内面側に折り重ねて各長辺に沿った強接着部同士及び短辺と平行に伸びる弱接着部同士を対接し、強接着部同士は剥離困難に、弱接着部同士は剥離可能に接着したことを特徴とする折り畳み封書。
【発明の詳細な説明】
【０００１】
【産業上の利用分野】
本発明は、折り畳んで内部に書簡や、印刷物などの収容物を収容した封書とする折り畳み封書用シート及びこのシートを用いた封書に関する。
【０００２】
【従来の技術】
従来の折り畳み封書用シートを用いた封書は、三辺に沿って設けた開封用ミシン目を破断してこの三辺を切り取ったり、一辺に平行に設けた二条の開封用ミシン目を破断して帯状に切り取って、開封するよう構成している。
【０００３】
【発明が解決しようとする課題】
このため、従来にあっては、開封に際して切り取った部分が廃棄物となるので、その廃棄処理が煩雑であるという不都合があった。本発明は、この不都合を解消することを目的とする。
【０００４】
【課題を解決するための手段】
この目的を達成するために本発明の折り畳み封書用シート１は、長方形状のシート１の短辺１ａ，１ｂと平行に第１折り部Ｐと第２折り部Ｑを設け、第１折り部Ｐと第２折り部Ｑとの間隔は、第２折り部Ｑからこの折り部Ｑ側の短辺１ａまでの間隔とほぼ等しく設定し、前記第１折り部Ｐからこの折り部Ｐ側の短辺１ｂまでの間隔は、前記第１折り部Ｐと第２折り部Ｑとの間隔よりも狭く、例えばほぼ半分に設定し、前記シート１の一面側には、前記第２折り部Ｑ側の短辺１ａに沿って弱接着部２ａを設けるとともに、一対の長辺１ｃ，１ｄに沿ってそれぞれ強接着部３ｃ，３ｄを設け、前記シート１の他面側には、前記第１折り部Ｐに沿った前記第２折り部Ｑとは反対側の部分に弱接着部２ｂを設けるとともに、前記第１折り部Ｐからこの折り部Ｐ側の短辺１ｂに向けて一対の長辺１ｃ，１ｄに沿ってそれぞれ強接着部３ａ，３ｂを設け、この他面側の各強接着部３ａ，３ｂの内側に沿って一対の開封用ミシン目４ａ，４ｂを設け、これら開封用ミシン目４ａａ，４ｂとほぼ同一長の一対の開封用ミシン目４ｃ，４ｄを、前記第２折り部Ｑ側の短辺１ａ端から前記第２折り部Ｑに向けて前記一面側の各強接着部３ｃ，３ｄの内側に沿って設けたものである。なお、前記他面側における前記各折り部Ｐ，Ｑに挟まれた部分、あるいは前記第２折り部Ｑと前記短辺１ａに挟まれた部分のいずれか一方が宛名表示面となる。
【０００５】
また、別の好適な構成として、長方形状のシート１１の短辺１１ａ，１１ｂと平行に第１折り部Ｒと第２折り部Ｓを設け、前記第１折り部Ｒと前記第２折り部Ｓとの間隔は、前記第１折り部Ｒからこの折り部Ｒ側の短辺１１ａまでの間隔とほぼ等しく設定し、前記第２折り部Ｓからこの折り部Ｓ側の短辺１１ｂまでの間隔は、前記第１折り部Ｒと前記第２折り部Ｓとの間隔よりも狭く、例えばほぼ半分に設定し、前記シート１１の一面側には、一対の長辺１１ｃ，１１ｄに沿ってそれぞれ強接着部１３ｃ，１３ｄを設けるとともに、前記第２折り部Ｓ側の短辺１１ｂに沿って弱接着部１２ｂを設け、前記シート１１の他面側には、前記第１折り部Ｒ側短辺１１ａから前記折り部Ｒに向けて、前記第２折り部Ｓとこの折り部Ｓ側短辺１１ｂまでの距離ほぼ等しい範囲に及んで一対の長辺１１ｃ，１１ｄに沿ってそれぞれ強接着部１３ａ，１３ｂを設けるとともに、これら強接着部１３ａ，１３ｂの前記第１折り部Ｒ側端に前記第１折り部Ｒと平行に伸びるよう弱接着部１２ａを設け、この他面側の各強接着部１３ａ，１３ｂの内側に沿った部分に一対の開封用ミシン目１４ａ，１４ｂを設け、前記第２折り部Ｓ側の短辺１１ｂ端から前記第２折り部Ｓに向けて前記一面側の各強接着部１３ｃ，１３ｄの内側に沿って一対の開封用ミシン目１４ｃ，１４ｄを設けてもよい。なお、この構成においては、前記他面側における前記各折り部Ｓ，Ｒに挟まれた部分、あるいは前記第２折り部Ｓと前記短辺１１ｂに挟まれた部分のいずれか一方を宛名表示面とするとよい。
【０００６】
上記構成の折り畳み封書用シート１，１１から作成する封書７，１７は、上記折り畳み封書用シート１，１１を、第２折り部Ｑ，Ｓ側の短辺１ａ，１１ｂに沿って弱接着部２ａ，１２ｂを設けた面を内側にし、前記第１折り部Ｐ，Ｒでこの折り部Ｐ，Ｒから短辺１ｂ，１１ａ側を内面側に折り重ねて各長辺１ｃ，１ｄ，１１ｃ，１１ｄに沿った強接着部３ｃ，３ｄ，１３ｃ，１３ｄ同士を対接し、前記第２折り部Ｑ，Ｓでこの折り部Ｑ，Ｓから短辺１ａ，１１ｂ側を内面側に折り重ねて各長辺１１ｃ，１１ｄに沿った強接着部３ａ，３ｃ，３ｂ，３ｄ，１３ａ，１３ｃ，１３ｂ，１３ｄ同士及び弱接着部２ａ，２ｂ，１２ａ，１２ｂ同士を対接し、強接着部３ａ，３ｃ，３ｂ，３ｄ，１３ａ，１３ｃ，１３ｂ，１３ｄ同士は剥離困難に、弱接着部２ａ，２ｂ，１２ａ，１２ｂ同士は剥離可能に接着してなるものである。なお、書簡Ｌなどの収容物は、適宜な折り段階で、シート１の内面側の第１折り部Ｐ，Ｒと前記第２折り部Ｑ，Ｓとの間に載置される。
【０００７】
さらにより好適な構成として、上記各構成に加えて、剥離開始端となる短辺１ａ，１１ｂに剥離開始動作を容易に行うための切り欠き部５ａ，５ｂ，１５ａ，１５ｂを設けたり、第２折り部Ｑ，Ｓとこの折り部Ｑ，Ｓ側の短辺１ａ，１１ｂとの間の部分に、切りミシン目を破断して形成する係止爪６，１６を設けることができる。この係止爪６，１６は、封書７，１７を開封後に、内側に位置していた開封部分を、折り重ね状態を逆にして外側に重ねることにより、その短辺１ｂ，１１ａ端を係止して、封鎖状態を維持するためのものであるので、複数個設けてもよい。
【０００８】
【発明の実施の形態】
以下、本発明の好適な実施形態を添付図面に基づいて詳細に説明する。ここにおいて、図１〜図６は本発明の第１実施形態を示すもので、図１はシートの内面側を示す概略的な平面図、図２はシートの外面側を示す概略的な平面図、図３は第１折り部で折り重ねた状態を示す概略的な平面図、図４はさらに第２折り部で折り重ねて封書とした状態の概略的な平面図、図５は開封の第１段階を示す斜視図、図６は開封の第２段階を示す斜視図である。また、図７〜図１０は本発明の第２実施形態を示すもので、図７はシートの内面側を示す概略的な平面図、図８はシートの外面側を示す概略的な平面図、図９は第１折り部で折り重ねた状態を示す概略的な平面図、図１０はさらに第２折り部で折り重ねて封書とした状態の概略的な平面図である。
【０００９】
はじめに、図１〜図６に基づいて第１の実施形態を説明する。図１及び図２に示すように、折り畳み封書用シート１は、長方形状で、短辺１ａ，１ｂと平行に第１折り部Ｐと第２折り部Ｑを設けている。これら折り部Ｐ，Ｑはあらかじめ決定された折り予定部であって、ミシン目や指示線などで明示されていないので、仮想線で図示している。前記第１折り部Ｐと前記第２折り部Ｑとの間隔は、前記第２折り部Ｑからこの折り部Ｑ側の短辺１ａまでの間隔とほぼ等しく設定する一方、前記第１折り部Ｐからこの折り部Ｐ側の短辺１ｂまでの間隔は、前記各間隔のほぼ半分に設定している。
【００１０】
図１に示す、折り畳み封書用シート１を折り畳む際の内面側には、第２折り部Ｑ側の短辺１ａに沿って剥離可能な接着剤を帯状に塗布してなる弱接着部２ａを設けるとともに、一対の長辺１ｃ，１ｄに沿ってそれぞれ剥離困難な接着剤を帯状に塗布してなる強接着部３ｃ，３ｄを設けている。
【００１１】
一方、図２に示す、折り畳み封書用シート１を折り畳む際の外面側には、第１折り部Ｐに沿った前記第２折り部Ｑとは反対側の部分、換言すると、第１折り部Ｐに沿った短辺１ｂ側の部分に、剥離可能な接着剤を帯状に塗布してなる弱接着部２ｂを設けるとともに、前記第１折り部Ｐからこの折り部Ｐ側の短辺１ｂに向けて、一対の長辺１ｃ，１ｄに沿ってそれぞれ強接着部３ａ，３ｂを設けている。そして、この外面側の前記各折り部Ｐ，Ｑに挟まれた部分が宛名表示面となっている。
【００１２】
また、図１及び図２に示すように、外面側の各強接着部３ａ，３ｂの内側に沿って一対の開封用ミシン目４ａ，４ｂを設け、これら開封用ミシン目４ａ，４ｂとほぼ同一長の一対の開封用ミシン目４ｃ，４ｄを、第２折り部Ｑ側の短辺１ａ端から前記第２折り部Ｑに向けて、内面側の各強接着部３ｃ，３ｄの内側に沿って設けている。さらに、前記一対の開封用ミシン目４ｃ，４ｄの短辺１ａ端には、剥離開始動作を容易にするための切り欠き５ａ，５ｂを設けている。またさらに、前記第２折り部Ｑと短辺１ａとの間には、円弧状のミシン目からなる係止爪６を設けている。この係止爪６の円弧状両端は、各開封用ミシン目４ｃ，４ｄの前記第２折り部Ｑ側端を結ぶ仮想線上に対応位置している。
【００１３】
続いて、上述した折り畳み封書用シート１を用いて形成する封書について説明する。まず、図２に示すように、折り畳み封書用シート１の宛名表示面に適宜なプリンタで宛名印字をした後、図１に示すように、短辺１ａに沿って弱接着部２ａを設けた面を内側にし、図３に示すように、前記第１折り部Ｐでこの折り部Ｐから短辺１ｂ側を折り重ね、各長辺１ｃ，１ｄに沿った強接着部３ｃ，３ｄ同士を対接する。この折り重ねの前後に、シート１の内面側の第１折り部Ｐと第２折り部Ｑとの間に収容物、例えば書簡Ｌ（仮想線で図示）を載置する。
【００１４】
この図３状態から、第２折り部Ｑでこの折り部Ｑから短辺１ａ側を内面側、すなわち書簡Ｌ上に折り重ねて、各長辺１ｃ，１ｄに沿った強接着部３ａ，３ｃ、３ｂ，３ｄ同士及び弱接着部２ａ，２ｂ同士を対接し、強接着部３ａ，３ｃ、３ｂ，３ｄ同士は剥離困難に、弱接着部２ａ，２ｂ同士は剥離可能に接着して、図４に示す封書７とするものである。
【００１５】
次に、上述の如く構成した封書７の開封手順について説明する。まず、図４図示状態において、短辺１ａの切り欠き５ａあるいは５ｂ端を捲り上げて、弱接着部２ａ，２ｂ同士の接着を剥離しつつ、各開封用ミシン目４ｃ、４ｄを破断する。これによって、図５に示すように、内側に位置している第１折り部Ｐから短辺１ｂ側の部分が露出する。次いで、この露出した短辺１ｂ端を摘んで、各開封用ミシン目４ａ，４ｂを破断しつつ引き上げると、図６に示すように、封書７の一面のほぼ半分が開口した開封状態となり、収容していた書簡Ｌのほぼ半分が露出して、これを取り出すことができる。
【００１６】
なお、封書７の開封後に、未開封状態とは開封部分の重ね合わせ状態を逆にして、短辺１ａ側の開封部分を先に重ね、次いで、短辺１ｂ側の開封部分を重ね合わせる際に、ミシン目を破断した係止爪６に前記短辺１ｂ端を係止して、封書７を書簡Ｌなどの収納容器として利用可能である。
【００１７】
続いて、図７〜図１０に基づき第２の実施形態を説明する。図７及び図８に示すように、折り畳み封書用シート１１は、長方形状で、その短辺１１ａ，１１ｂと平行に第１折り部Ｒと第２折り部Ｓを設けている。これら折り部Ｒ，Ｓも第１の実施形態におけると同様に、あらかじめ決定された折り予定部であって、ミシン目や指示線などで明示されていないので、仮想線で図示している。前記第１折り部Ｒと前記第２折り部Ｓとの間隔は、前記第１折り部Ｒからこの折り部Ｒ側の短辺１１ａまでの間隔とほぼ等しく設定する一方、前記第２折り部Ｓからこの折り部Ｓ側の短辺１１ｂまでの間隔は、前記各間隔のほぼ半分に設定している。
【００１８】
図７に示す、折り畳み封書用シート１１を折り畳む際の内面側には、第２折り部Ｓ側の短辺１１ｂに沿って剥離可能な接着剤を帯状に塗布してなる弱接着部１２ｂを設けるとともに、一対の長辺１１ｃ，１１ｄに沿ってそれぞれ剥離困難な接着剤を帯状に塗布してなる強接着部１３ｃ，１３ｄを設けている。
【００１９】
一方、図８に示す、折り畳み封書用シート１１を折り畳む際の外面側には、第１折り部Ｒ側の短辺１１ａから前記折り部Ｒに向けて、前記第２折り部Ｓとこの折り部Ｓ側短辺１１ｂまでの距離とほぼ等しい範囲に及んで、一対の長辺１１ｃ，１１ｄに沿ってそれぞれ強接着部１３ａ，１３ｂを設けている。そして、これら強接着部１３ａ，１３ｂの前記第１折り部Ｒ側端を結ぶ仮想線に沿って、前記第１折り部Ｒと平行に伸びるように、剥離可能な接着剤を帯状に塗布してなる弱接着部１２ａを設けている。そして、この外面側の前記各折り部Ｒ，Ｓに挟まれた部分が宛名表示面となっている。
【００２０】
また、各強接着部１３ａ，１３ｂの内側に沿った部分に一対の開封用ミシン目１４ａ，１４ｂを設け、第２折り部Ｓ側の短辺１１ｂ端から前記第２折り部Ｓに向けて各強接着部１３ｃ，１３ｄの内側に沿って一対の開封用ミシン目１４ｃ，１４ｄを設けている。これら各開封用ミシン目１４ａ，１４ｂと１４ｃ，１４ｄは、ほぼ同一長である。さらに、前記一対の開封用ミシン目１４ｃ，１４ｄの短辺１１ｂ端には、剥離開始動作を容易にするための切り欠き１５ａ，１５ｂを設けている。またさらに、前記第２折り部Ｓに沿ったこの折り部Ｓの短辺１１ｂ側には、上述した係止爪６と同様な機能を有する円弧状のミシン目からなる係止爪１６を設け、この係止爪１６の円弧状端は、前記第２折り部Ｓと対応位置している。
【００２１】
続いて、上述した折り畳み封書用シート１１を用いて形成する封書について説明する。まず、図８に示すように、折り畳み封書用シート１１の宛名表示面に適宜なプリンタで宛名印字をした後、図７に示すように、短辺１１ｂに沿って弱接着部１２ｂを設けた面を内側にし、図９に示すように、第１折り部Ｒでこの折り部Ｒから短辺１１ａ側を内面側に折り重ね、各長辺１１ｃ，１１ｄに沿った強接着部１３ｃ，１３ｄ同士を対接する。この折り重ねの前後において、シート１１の内面側の第１折り部Ｒと第２折り部Ｓとの間に収容物、例えば書簡Ｌを載置する。
【００２２】
この図９図示状態から、第２折り部Ｓでこの折り部Ｓから短辺１１ｂ側をさらにさらに内面側に折り重ねて、各長辺１１ｃ，１１ｄに沿った強接着部１３ａ，１３ｃ、１３ｂ，１３ｄ同士及び弱接着部１２ａ，１２ｂ同士を対接し、強接着部１３ａ，１３ｃ、１３ｂ，１３ｄ同士は剥離困難に、弱接着部１２ａ，１２ｂ同士は剥離可能に接着して、図１０に示す封書１７とするものである。
【００２３】
次に、上述の如く構成した封書１７の開封手順について説明する。まず、図１０図示状態において、短辺１１ｂの切り欠き１５ａあるいは１５ｂ端を捲り上げて、弱接着部１２ａ，１２ｂ同士の接着を剥離しつつ、各開封用ミシン目１４ｃ、１４ｄを破断する。次いで、露出した短辺１１ａ端を摘んで、各開封用ミシン目１４ａ，１４ｂを破断しつつ引き上げると、封書１７の一面のほぼ半分が開口した開封状態となり、収容していた書簡Ｌのほぼ半分が露出して、これを取り出すことができる。
【００２４】
また、本実施形態においても第１の実施形態と同様に、封書１７の開封後に、未開封状態とは開封部分の重ね合わせ状態を逆にして、短辺１１ｂ側の開封部分を先に重ね、次いで、短辺１１ａ側の開封部分を重ね合わせる際に、ミシン目を破断した係止爪１６に前記短辺１１ａ端を係止して、封書１７を書簡Ｌなどの収納容器として利用可能である。
【００２５】
なお、本発明は上述した各実施形態に限定されるものではなく、例えば、第１折り部Ｐ，Ｒと第２折り部Ｑ，Ｓとの間隔よりも狭い、折り部Ｐ，Ｓと短辺１ｂ，１１ｂとの間隔は、前記間隔のほぼ半分には限らない。また、各切り欠き５ａ，５ｂ，１５ａ，１５ｂや係止爪６，１６は必ずしも設ける必要はない。
【００２６】
【発明の効果】
以上説明したところで明らかなように、本願の請求項１または請求項２の折り畳み封書用シートによれば、各折り部で三つ折りすることにより、封書を容易に形成できるという効果を奏する。
【００２７】
また、本願請求項３の封書によれば、開封時に切り屑のような廃棄物が生じず、開封も容易であるという効果を奏する。
【図面の簡単な説明】
【図１】第１実施形態における折り畳み封書用シートの内面側を示す概略的な平面図。
【図２】同じく折り畳み封書用シートの外面側を示す概略的な平面図。
【図３】同じく第１折り部で折り重ねた状態を示す概略的な平面図。
【図４】同じく封書とした状態の概略的な平面図。
【図５】同じく開封の第１段階を示す斜視図。
【図６】同じく開封の第２段階を示す斜視図である。
【図７】第２実施形態における折り畳み封書用シートの内面側を示す概略的な平面図。
【図８】同じく折り畳み封書用シートの外面側を示す概略的な平面図。
【図９】同じく第１折り部で折り重ねた状態を示す概略的な平面図。
【図１０】同じく封書とした状態の概略的な平面図。
【符号の説明】
１，１１      折り畳み封書用シート
１ａ，１ｂ，１１ａ，１１ｂ      短辺
１ｃ，１ｄ，１１ｃ，１１ｄ      長辺
２ａ，２ｂ，１２ａ，１２ｂ      弱接着部
３ａ，３ｂ，３ｃ，３ｄ，１３ａ，１３ｂ，１３ｃ，１３ｄ      強接着部
４ａ，４ｂ，４ｃ，４ｄ，１４ａ，１４ｂ，１４ｃ，１４ｄ      開封用ミシン目
５ａ，５ｂ，１５ａ，１５ｂ      切り欠き部
６，１６      係止爪
７，１７      封書
Ｐ，Ｒ      第１折り部
Ｑ，Ｓ      第２折り部
【図１】
0004079652.tif 000002
【図２】
0004079652.tif 000003
【図３】
0004079652.tif 000004
【図４】
0004079652.tif 000005
【図５】
0004079652.tif 000006
【図６】
0004079652.tif 000007
【図７】
0004079652.tif 000008
【図８】
0004079652.tif 000009
【図９】
0004079652.tif 000010
【図１０】
0004079652.tif 000011